(57)【要約】【課題】本発明の課題は、電源を必要としない光学部品のみを配置するだけでよく、光信号の電気信号への変換を行わずそのまま光信号を伝搬して光通信経路を実現する光通信装置を提供することにある。【解決手段】本発明は、窓ガラス１４によって隔てられた２地点間で光信号を伝送する光通信装置であって、光ファイバから出射する光信号を絞って窓ガラス１４中に送信する光学レンズ２３，２８と、前記窓ガラス１４を透過した光信号を集光して光ファイバに取り込む光学レンズ２７，２４とからなる信号伝送ユニット１１，１２を２個具備し、各信号伝送ユニット１１，１２は一方の光学レンズ２３，２８と他方の光学レンズ２７，２４がそれぞれ前記窓ガラス１４を挟んで対向するように配置したことを特徴とするものである。【選択図】図２
2007259179.tif 000002
【特許請求の範囲】
【請求項１】
光透過媒質によって隔てられた２地点間で光信号を伝送する光通信装置であって、
光透過媒質の一方の地点側に設けられ、光ファイバから出射する光信号を絞って光透過媒質中に送信する光信号出射部と、
前記光透過媒質の他方の地点側に前記光信号出射部と対向して設けられ、前記光透過媒質を透過した光信号を集光して光ファイバに取り込む光信号入射部と
を具備することを特徴とする光通信装置。
【請求項２】
光透過媒質によって隔てられた２地点間で光信号を伝送する光通信装置であって、
光ファイバから出射する光信号を絞って光透過媒質中に送信する光信号出射部と、前記光透過媒質を透過した光信号を集光して光ファイバに取り込む光信号入射部とからなる信号伝送ユニットを２個具備し、
各信号伝送ユニットは一方の光信号出射部と他方の光信号入射部がそれぞれ前記光透過媒質を挟んで対向するように配置したことを特徴とする光通信装置。
【請求項３】
請求項２に記載の光通信装置において、
各信号伝送ユニットが光信号出射部と光信号入射部を一体の光学系で兼用するように構成され、双方向通信することを特徴とする光通信装置。
【請求項４】
請求項２に記載の光通信装置において、
各信号伝送ユニットが波長多重化装置を内蔵し、前記波長多重化装置にて一本の通信線路を伝送する上り波長と下り波長を前記信号伝送ユニット間だけ上り経路・下り経路に分離し、各経路ごとに光信号を伝送することを特徴とする光通信装置。
【請求項５】
請求項１乃至４のいずれかに記載の光通信装置において、
光透過媒質透過光の光軸が該光透過媒質反射面に対して非垂直となるよう配置したことを特徴とする光通信装置。
【請求項６】
請求項１乃至５のいずれかに記載の光通信装置において、
少なくとも光信号を出射する光ファイバの端面が光ファイバの光軸に対して非垂直となるように形成したことを特徴とする光通信装置。
【請求項７】
請求項１乃至６のいずれかに記載の光通信装置において、
光信号出射部もしくは光信号入射部と光透過媒質面との隙間に屈折率を整合する物質を充填したことを特徴とする光通信装置。
【請求項８】
請求項１乃至６のいずれかに記載の光通信装置において、
光信号出射部もしくは光信号入射部と光透過媒質とを光学的に密着したことを特徴とする光通信線路。
【請求項９】
請求項１乃至７のいずれかに記載の光通信装置において、
光信号出射部もしくは光信号入射部の少なくとも一方は、光ファイバ先端に、集光レンズ、拡大したコア、屈折率分布型ロッドレンズ、もしくは光ファイバ先端部分をレンズ状に加工した加工部を配した構造であることを特徴とする光通信装置。
【発明の詳細な説明】
【技術分野】
【０００１】
本発明は、光を透過する例えば窓ガラス等の光透過媒質によって隔てられた２地点間で光信号を伝送する光通信装置に関するものである。
【背景技術】
【０００２】
光通信線路は電話局からユーザ宅まで光ファイバケーブルを敷設し、ユーザ宅のＯＮＵ（Optical Network Unit）装置に配線されている。通常ＯＮＵから通信ケーブルをユーザ宅に導入しているが、家屋に穴を開けケーブルを通す工事の時間・費用等の点で問題があった。
【０００３】
また、電波により無線信号を伝送する方法もあるが、利用可能周波数の制限・干渉によるスループットの低下・セキュリティの問題等があった。
【０００４】
ガラスエクステンダ（例えば、特許文献１及び非特許文献１参照。）は窓ガラスの内外面に１対の装置を貼付し、ガラスを透過するレーザ光を用いて通信を行う技術である。各装置は、ＬＥＤとフォトダイオードを内蔵し、屋外通信機器（ＯＮＵ）と屋内通信機器（ＨＵＢ等）を結んで双方向通信を行う。
【０００５】
屋外通信機器（ＯＮＵ）からの電気信号は窓ガラス外面装置のＬＥＤによりＥ／Ｏ（電気信号／光信号）変換され、発生したレーザ光がガラスを透過する。窓ガラス内面装置のフォトダイオードでこれを受信してＯ／Ｅ（光信号／電気信号）変換した後、電気信号として屋内通信機器に送られる。逆方向も同様である。ガラスエクステンダを用いることにより家屋に穴を開けず簡易な通信配線が可能となる。窓ガラス外面装置のＬＥＤとフォトダイオードに駆動電力を供給する必要があるが、コイルを内蔵し電磁誘導によりこれを実現するため、装置が大型煩雑になるという欠点があった。
【０００６】
【特許文献１】特開２００４-８０５９５号公報
【非特許文献１】石下洋志  他著  「ガラスエクステンダ配線法」  ＮＴＴジャーナル  ２００３年６月号  ｐ．５４−５７
【発明の開示】
【発明が解決しようとする課題】
【０００７】
窓ガラスの両面で単に光ファイバ端面を対向しただけでは、光信号を空間伝送することはできない。光ファイバ端面から発射される信号光が発散するため、信号強度が低下し発射方向を制御することもできない。また受信側でも、単純に光ファイバ端面を受光面としただけでは、受光面積が極めて小さい（シングルモードファイバで直径約１０ミクロン）ため十分な光強度を取り込むことができず、光信号を集中して照射する場合にもターゲットとして制御困難な小ささである。光学的な問題として、光ファイバ切断面、窓ガラス表面でレーザ光が反射し戻り光により受信感度が劣化する。
【０００８】
本発明は上記の事情に鑑みてなされたもので、光ファイバから出射する光信号を絞って光透過媒質中に送信し、前記光透過媒質を透過した光信号を集光して光ファイバに取り込むことにより、電源を必要としない光学部品のみを配置するだけでよく、光信号の電気信号への変換を行わずそのまま光信号を伝搬して光通信経路を実現する光通信装置を提供することを目的とする。
【課題を解決するための手段】
【０００９】
上記目的を達成するために本発明は、光透過媒質によって隔てられた２地点間で光信号を伝送する光通信装置であって、光透過媒質の一方の地点側に設けられ、光ファイバから出射する光信号を絞って光透過媒質中に送信する光信号出射部と、前記光透過媒質の他方の地点側に前記光信号出射部と対向して設けられ、前記光透過媒質を透過した光信号を集光して光ファイバに取り込む光信号入射部とを具備することを特徴とするものである。
【００１０】
また本発明は、光透過媒質によって隔てられた２地点間で光信号を伝送する光通信装置であって、光ファイバから出射する光信号を絞って光透過媒質中に送信する光信号出射部と、前記光透過媒質を透過した光信号を集光して光ファイバに取り込む光信号入射部とからなる信号伝送ユニットを２個具備し、各信号伝送ユニットは一方の光信号出射部と他方の光信号入射部がそれぞれ前記光透過媒質を挟んで対向するように配置したことを特徴とするものである。
【００１１】
また本発明は、前記光通信装置において、各信号伝送ユニットが光信号出射部と光信号入射部を一体の光学系で兼用するように構成され、双方向通信することを特徴とするものである。
【００１２】
また本発明は、前記光通信装置において、各信号伝送ユニットが波長多重化装置を内蔵し、前記波長多重化装置にて一本の通信線路を伝送する上り波長と下り波長を前記信号伝送ユニット間だけ上り経路・下り経路に分離し、各経路ごとに光信号を伝送することを特徴とするものである。
【００１３】
また本発明は、前記光通信装置において、光透過媒質透過光の光軸が該光透過媒質反射面に対して非垂直となるよう配置したことを特徴とするものである。
【００１４】
また本発明は、前記光通信装置において、少なくとも光信号を出射する光ファイバの端面が光ファイバの光軸に対して非垂直となるように形成したことを特徴とするものである。
【００１５】
また本発明は、前記光通信装置において、光信号出射部もしくは光信号入射部と光透過媒質面との隙間に屈折率を整合する物質を充填したことを特徴とするものである。
【００１６】
また本発明は、前記光通信装置において、光信号出射部もしくは光信号入射部と光透過媒質とを光学的に密着したことを特徴とするものである。
【００１７】
また本発明は、前記光通信装置において、光信号出射部もしくは光信号入射部の少なくとも一方は、光ファイバ先端に、集光レンズ、拡大したコア、屈折率分布型ロッドレンズ、もしくは光ファイバ先端部分をレンズ状に加工した加工部を配した構造であることを特徴とするものである。
【発明の効果】
【００１８】
本発明の光通信装置は、光ファイバから出射する光信号を絞って光透過媒質中に送信し、前記光透過媒質を透過した光信号を集光して光ファイバに取り込むことにより、電源を必要としない光学部品のみを配置するだけでよく、光信号の電気信号への変換を行わずそのまま光信号を伝搬して光通信経路を実現する。また、光ファイバ切断面、光透過媒質表面で反射戻り光を防いだり屈折率差を抑えることができる。したがって、ＯＮＵをユーザ宅内に配置し、電話局からＯＮＵまでの光通信経路において光透過媒質である例えば窓ガラス部分を通信化することが可能である。
【発明を実施するための最良の形態】
【００１９】
以下図面を参照して本発明の実施の形態を詳細に説明する。
図１は本発明の実施形態に係る光通信経路を示す構成説明図である。図１に示すように、光通信装置の屋内側信号伝送ユニット１１と屋外側信号伝送ユニット１２はユーザ宅１３の窓ガラス１４を挟んで対向して取り付けられる。ユーザ宅１３内にはＯＮＵ装置１５が設置され、前記ＯＮＵ装置１５は前記屋内側信号伝送ユニット１１と光ファイバケーブル１６により接続される。前記屋外側信号伝送ユニット１２は電話局１７と光ファイバケーブル１８により接続される。１９は電柱、２０は端末である。電話局１７からＯＮＵ装置１５まで光通信装置の屋内側信号伝送ユニット１１と屋外側信号伝送ユニット１２を介して光通信経路が構成され、この光通信経路に沿って光信号が伝搬されて有線光通信が行われる。この場合、屋内側信号伝送ユニット１１と屋外側信号伝送ユニット１２の間は窓ガラス１４を光透過媒質として光信号が伝搬する。すなわち、屋内側信号伝送ユニット１１と屋外側信号伝送ユニット１２は光透過媒質の一例である窓ガラス１４によって隔てられた２地点に設けられ、前記屋内側信号伝送ユニット１１と屋外側信号伝送ユニット１２間で光信号を伝送する光通信装置が構成される。
【００２０】
図２は本発明の実施形態に係る第１の光通信装置を示す構成説明図である。図２では窓ガラス面に対して垂直な断面を示している。図２に示すように、窓ガラス１４の屋内側には信号伝送ユニット１１が取り付けられ、前記信号伝送ユニット１１の外面にはコネクタ２１、２２が設けられる。前記コネクタ２１には光ファイバ１６１が接続され、前記光ファイバ１６１の先端には光ファイバから出射する光信号を絞って窓ガラス１４中に送信する光信号出射部の一例である光学レンズ２３が設けられる。前記コネクタ２２には光ファイバ１６２が接続され、前記光ファイバ１６２の先端には窓ガラス１４を透過した光信号を集光して光ファイバ１６２に取り込む光信号入射部の一例である光学レンズ２４が設けられる。前記コネクタ２１、２２には光ファイバケーブル１６を介してＯＮＵ装置１５が接続される。また、窓ガラス１４の屋外側には信号伝送ユニット１２が取り付けられ、前記信号伝送ユニット１２の外面にはコネクタ２５、２６が設けられる。前記コネクタ２５には光ファイバ１８２が接続され、前記光ファイバ１８２の先端には窓ガラス１４を透過した光信号を集光して光ファイバ１８２に取り込む光信号入射部の一例である光学レンズ２７が設けられる。前記コネクタ２６には光ファイバ１８１が接続され、前記光ファイバ１８１の先端には光ファイバから出射する光信号を絞って窓ガラス１４中に送信する光信号出射部の一例である光学レンズ２８が設けられる。前記コネクタ２５、２６には光ファイバケーブル１８を介して電話局１７が接続される。前記屋内側信号伝送ユニット１１と屋外側信号伝送ユニット１２は光学レンズ２３と光学レンズ２７が窓ガラス１４を挟んで対向して配置されると共に、光学レンズ２４と光学レンズ２８が窓ガラス１４を挟んで対向して配置される。
【００２１】
すなわち、各信号伝送ユニット１１、１２は送信用光ファイバ１６１，１８１と受信用光ファイバ１６２，１８２を内蔵し、送信光を絞り、受信光を集光する光学部品として光学レンズ２３，２４，２７，２８を備えている。例えば、電話局１７からユーザ宅１３へ向かう光信号は屋外側信号伝送ユニット１２内の送信用光ファイバ１８１から放射し光学レンズ２８によって絞られた後、窓ガラス１４中に入射する。窓ガラス１４を透過した光信号は屋内側信号伝送ユニット１１の光学レンズ２４により受信用光ファイバ１６２に集光される。一方、ユーザ宅１３から電話局１７へ向かう光信号は屋内側信号伝送ユニット１１内の送信用光ファイバ１６１から放射し光学レンズ２３によって絞られた後、窓ガラス１４中に入射する。窓ガラス１４を透過した光信号は屋外側信号伝送ユニット１２の光学レンズ２７により受信用光ファイバ１８２に集光される。
【００２２】
尚、光学レンズ２３，２４，２７，２８と窓ガラス１４とを光学的に密着するようにしてもよい。
【００２３】
図３は本発明の実施形態に係る第２の光通信装置を示す構成説明図である。図３では窓ガラス面に対して垂直な断面を示している。図３に示すように、双方向通信を１本の光ファイバで実行する場合の構成例を示している。屋内側信号伝送ユニット１１ではコネクタ３１を介して屋内配線用の光ファイバケーブル１６と信号伝送ユニット内配線用光ファイバ３２が接続され、前記信号伝送ユニット内配線用光ファイバ３２の先端には光ファイバ３２から出射する光信号を絞って窓ガラス１４中に送信する光信号出射部及び窓ガラス１４を透過した光信号を集光して光ファイバ３２に取り込む光信号入射部を一体の光学系で兼用するように構成された光学レンズ３３が設けられる。屋外側信号伝送ユニット１２ではコネクタ３４に屋外配線用の光ファイバケーブル１８が接続され、前記コネクタ３４の先端にはコネクタ３４から出射する光信号を絞って窓ガラス１４中に送信する光信号出射部及び窓ガラス１４を透過した光信号を集光してコネクタ３４に取り込む光信号入射部を一体の光学系で兼用するように構成された光学レンズ３５が設けられる。この場合、コネクタ３４の先端を光学レンズ３５の焦点位置となるよう配置することにより、屋外側信号伝送ユニット１２内の配線を不要とすることができる。電話局１７及びユーザ宅１３は屋内側信号伝送ユニット１１及び屋外側信号伝送ユニット１２を介して送信信号・受信信号を伝送する。
【００２４】
図４は本発明の実施形態に係る第３の光通信装置を示す構成説明図である。図４では窓ガラス面に対して垂直な断面を示している。図４に示すように、屋内側信号伝送ユニット１１ではコネクタ４１を介して屋内配線用の光ファイバケーブル１６と信号伝送ユニット内配線用光ファイバ４２が接続され、前記信号伝送ユニット内配線用光ファイバ４２の先端には光ファイバ４２から出射する光信号を絞って窓ガラス１４中に送信する光信号出射部及び窓ガラス１４を透過した光信号を集光して光ファイバ４２に取り込む光信号入射部を一体の光学系で兼用するように構成された光学レンズ４３が設けられる。屋外側信号伝送ユニット１２ではコネクタ４４を介して屋外配線用の光ファイバケーブル１８と信号伝送ユニット内配線用光ファイバ４５が接続され、前記信号伝送ユニット内配線用光ファイバ４５の先端には光ファイバ４５から出射する光信号を絞って窓ガラス１４中に送信する光信号出射部及び窓ガラス１４を透過した光信号を集光して光ファイバ４５に取り込む光信号入射部を一体の光学系で兼用するように構成された光学レンズ４６が設けられる。前記光学レンズ４３と光学レンズ４６は窓ガラス１４を挟んで対向して設けられ、前記光学レンズ４３と光学レンズ４６の共通したレンズ光軸４７は窓ガラス１４の両面に対して所定の角度を持つように配置される。
【００２５】
すなわち、窓ガラス１４の透過光の光軸は窓ガラス１４の反射面に対して非垂直となるように配置される。したがって、光学レンズを経由して窓ガラスに入射する光信号は、光信号の一部が窓ガラスの表面で反射するが、窓ガラスの反射面と透過光の光軸が直交しないため窓ガラスからの反射光が送信側光ファイバに戻ることによる信号劣化を防ぐことができる。
【００２６】
図５は本発明の実施形態に係る第４の光通信装置を示す構成説明図である。図５では窓ガラス面に対して垂直な断面を示している。図５に示すように、屋内側信号伝送ユニット１１ではコネクタ５１を介して屋内配線用の光ファイバケーブル１６と信号伝送ユニット内配線用光ファイバ５２が接続され、前記信号伝送ユニット内配線用光ファイバ５２の先端には光ファイバ５２から出射する光信号を絞って窓ガラス１４中に送信する光信号出射部及び窓ガラス１４を透過した光信号を集光して光ファイバ５２に取り込む光信号入射部を一体の光学系で兼用するように構成された光学レンズ５３が設けられる。屋外側信号伝送ユニット１２ではコネクタ５４を介して屋外配線用の光ファイバケーブル１８と信号伝送ユニット内配線用光ファイバ５５が接続され、前記信号伝送ユニット内配線用光ファイバ５５の先端には光ファイバ５５から出射する光信号を絞って窓ガラス１４中に送信する光信号出射部及び窓ガラス１４を透過した光信号を集光して光ファイバ５５に取り込む光信号入射部を一体の光学系で兼用するように構成された光学レンズ５６が設けられる。前記光学レンズ５３と光学レンズ５６は窓ガラス１４を挟んで対向して設けられ、前記光ファイバ５２，５５の先端はそれぞれ光ファイバ光軸５７に対して斜めに研磨して形成される。
【００２７】
すなわち、少なくとも光信号を出射する光ファイバの端面は光ファイバの光軸に対して非垂直となるように形成される。光信号が光ファイバから屈折率の異なる媒質に放射するときに、光ファイバ端面で反射が発生し、信号劣化の原因となる。そこで、光ファイバの先端をファイバ光軸に対して斜めに研磨することにより光ファイバの端面からの反射光は光ファイバ内を逆行する戻り光となることはない。
【００２８】
図６は本発明の実施形態に係る第５の光通信装置を示す構成説明図である。図６では窓ガラス面に対して垂直な断面を示している。図６に示すように、屋内側信号伝送ユニット１１ではコネクタ６１を介して屋内配線用の光ファイバケーブル１６と信号伝送ユニット内配線用光ファイバ６２が接続され、前記信号伝送ユニット内配線用光ファイバ６２は光ファイバ６２から出射する光信号を窓ガラス１４中に送信する光信号出射部及び窓ガラス１４を透過した光信号を光ファイバ６２に取り込む光信号入射部を一体の光学系で兼用するように構成される。前記信号伝送ユニット内配線用光ファイバ６２は光ファイバ自体を加工して光ファイバ６２のコア部をコネクタ６１側から光ファイバ６２の先端に行くに従って径を漸次大きくしたテーパ状に拡大したテーパ光ファイバが用いられる。また、屋外側信号伝送ユニット１２ではコネクタ６３を介して屋外配線用の光ファイバケーブル１８と信号伝送ユニット内配線用光ファイバ６４が接続され、前記信号伝送ユニット内配線用光ファイバ６４は光ファイバ６４から出射する光信号を窓ガラス１４中に送信する光信号出射部及び窓ガラス１４を透過した光信号を光ファイバ６４に取り込む光信号入射部を一体の光学系で兼用するように構成される。前記信号伝送ユニット内配線用光ファイバ６４は光ファイバ自体を加工して光ファイバ６４のコア部をコネクタ６３側から光ファイバ６４の先端に行くに従って径を漸次大きくしたテーパ状に拡大したテーパ光ファイバが用いられる。すなわち、光信号出射部もしくは光信号入射部の少なくとも一方は、光ファイバ先端に、拡大したコアを配した構造とすることにより、窓ガラス１４を透過した光信号を光ファイバに取り込む時のターゲット面積が大きいため設置位置決めが容易となる。
【００２９】
図７は本発明の実施形態に係る第６の光通信装置を示す構成説明図である。図７では窓ガラス面に対して垂直な断面を示している。図７に示すように、屋内側信号伝送ユニット１１ではコネクタ７１を介して屋内配線用の光ファイバケーブル１６と信号伝送ユニット内配線用光ファイバ７２が接続され、前記信号伝送ユニット内配線用光ファイバ７２の先端には光ファイバ７２から出射する光信号を絞って窓ガラス１４中に送信する光信号出射部及び窓ガラス１４を透過した光信号を光ファイバ７２に取り込む光信号入射部を一体の光学系で兼用するように構成された屈折率分布型光ファイバレンズ７３が設けられる。また、屋外側信号伝送ユニット１２ではコネクタ７４を介して屋外配線用の光ファイバケーブル１８と信号伝送ユニット内配線用光ファイバ７５が接続され、前記信号伝送ユニット内配線用光ファイバ７５の先端には光ファイバ７５から出射する光信号を絞って窓ガラス１４中に送信する光信号出射部及び窓ガラス１４を透過した光信号を光ファイバ７５に取り込む光信号入射部を一体の光学系で兼用するように構成された屈折率分布型光ファイバレンズ７６が設けられる。屈折率分布型光ファイバレンズ７３，７６は、光ファイバの屈折率に分布を持たせることにより、光学レンズと等価な光学的機能を実現する屈折率分布型ロッドレンズとして用いるものである。
【００３０】
すなわち、光信号出射部もしくは光信号入射部の少なくとも一方は、光ファイバ先端に、屈折率分布型ロッドレンズを配した構造を用いることにより光学レンズなしに光信号を絞ることができる。
【００３１】
また、図７では、屈折率分布型光ファイバレンズ７３，７６と窓ガラス１４のすきまに屈折率整合剤７７を充填している。これによりガラスと空気の屈折率差に起因する光信号の反射を抑えることができる。すなわち、光信号出射部もしくは光信号入射部と光透過媒質面との隙間に屈折率を整合する物質を充填するようにしてもよい。
【００３２】
図８は本発明の実施形態に係る第７の光通信装置を示す構成説明図である。図８では窓ガラス面に対して垂直な断面を示している。図８に示すように、屋内側信号伝送ユニット１１ではコネクタ８１を介して屋内配線用の光ファイバケーブル１６と信号伝送ユニット内配線用光ファイバ８２が接続され、前記信号伝送ユニット内配線用光ファイバ８２の先端には光ファイバ８２から出射する光信号を絞って窓ガラス１４中に送信する光信号出射部及び窓ガラス１４を透過した光信号を集光して光ファイバ８２に取り込む光信号入射部を一体の光学系で兼用するように構成されたレンズ状加工部が設けられる。また、屋外側信号伝送ユニット１２ではコネクタ８３を介して屋外配線用の光ファイバケーブル１８と信号伝送ユニット内配線用光ファイバ８４が接続され、前記信号伝送ユニット内配線用光ファイバ８４の先端には光ファイバ８４から出射する光信号を絞って窓ガラス１４中に送信する光信号出射部及び窓ガラス１４を透過した光信号を集光して光ファイバ８４に取り込む光信号入射部を一体の光学系で兼用するように構成されたレンズ状加工部が設けられる。
【００３３】
すなわち、光信号出射部もしくは光信号入射部の少なくとも一方は、光ファイバ先端に、光ファイバ先端部分をレンズ状に加工した加工部を配した構造を用いることにより光学レンズを光ファイバ前方に置いたと同様の効果が実現でき、光信号を絞ることができる。
【００３４】
図９は本発明の実施形態に係る第８の光通信装置を示す構成説明図である。図９では窓ガラス面に対して垂直な断面を示している。図９中、図２と同一部分は同一符号を付して説明する。図９において、屋内側信号伝送ユニット１１内には波長多重化装置９１が設けられ、前記波長多重化装置９１には光ファイバ１６１，１６２を介して光学レンズ２３，２４がそれぞれ対応して接続される。前記波長多重化装置９１はコネクタ９２を介して光ファイバケーブル１６に接続される。また、屋外側信号伝送ユニット１２内には波長多重化装置９３が設けられ、前記波長多重化装置９３には光ファイバ１８２，１８１を介して光学レンズ２７，２８がそれぞれ対応して接続される。前記波長多重化装置９３はコネクタ９４を介して光ファイバケーブル１８に接続される。ユーザ宅からの波長１は光ファイバケーブル１６内を伝送し、電話局からの波長２は光ファイバケーブル１８内を伝送する。例えば波長１は屋内側信号伝送ユニット１１内蔵の波長多重化装置９１でフィルタリングされ送信用光ファイバ１６１及び光学レンズ２３を経由して窓ガラス１４に送信され空間光となる。窓ガラス１４を透過した空間光は光学レンズ２７及び受信用光ファイバ１８２を経て屋外側信号伝送ユニット１２内蔵の波長多重化装置９３により電話局に向かう光ファイバケーブル１８に集光される。波長２は、屋外側信号伝送ユニット１２内蔵の波長多重化装置９３−送信用光ファイバ１８１−光学レンズ２８−窓ガラス１４−光学レンズ２４−受信用光ファイバ１６２−屋内側信号伝送ユニット１１内蔵の波長多重化装置９１−光ファイバケーブル１６、という経路をとる。
【００３５】
すなわち、各信号伝送ユニットが波長多重化装置を内蔵し、前記波長多重化装置にて一本の通信線路を伝送する上り波長と下り波長を前記信号伝送ユニット間だけ上り経路・下り経路に分離し、各経路ごとに光信号を伝送することにより、それぞれの波長に最適化した光学系設計ができるため、光路を共通にする場合と比較して通信品質が向上する。
【００３６】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３７】
【図１】本発明の実施形態に係る光通信経路を示す構成説明図である。
【図２】本発明の実施形態に係る第１の光通信装置を示す構成説明図である。
【図３】本発明の実施形態に係る第２の光通信装置を示す構成説明図である。
【図４】本発明の実施形態に係る第３の光通信装置を示す構成説明図である。
【図５】本発明の実施形態に係る第４の光通信装置を示す構成説明図である。
【図６】本発明の実施形態に係る第５の光通信装置を示す構成説明図である。
【図７】本発明の実施形態に係る第６の光通信装置を示す構成説明図である。
【図８】本発明の実施形態に係る第７の光通信装置を示す構成説明図である。
【図９】本発明の実施形態に係る第８の光通信装置を示す構成説明図である。
【符号の説明】
【００３８】
１１…屋内側信号伝送ユニット、１２…屋外側信号伝送ユニット、１３…ユーザ宅、１４…窓ガラス、１５…ＯＮＵ装置、１６，１８…光ファイバケーブル、１７…電話局、２１，２２，２５，２６…コネクタ、２３，２４，２７，２８…光学レンズ、１６１，１６２，１８１，１８２…光ファイバ、４７…レンズ光軸、５７…光ファイバ光軸、６２，６４…テーパ光ファイバ、７６…屈折率分布型光ファイバレンズ、７７…屈折率整合剤、８４…先端加工光ファイバ、９１，９３…波長多重化装置。
【図１】
2007259179.tif 000003
【図２】
2007259179.tif 000004
【図３】
2007259179.tif 000005
【図４】
2007259179.tif 000006
【図５】
2007259179.tif 000007
【図６】
2007259179.tif 000008
【図７】
2007259179.tif 000009
【図８】
2007259179.tif 000010
【図９】
2007259179.tif 000011